(57)【要約】【課題】  軽量コンパクトで、設置も容易な防災用照明柱を提供する。また、防災時に利用するものなので、信頼性、経年劣化に対する耐久性に優れ、耐震性にもすぐれている必要がある。【解決手段】  支柱１と、前記支柱１の最上部に設けられた小型風力発電装置２及び小型太陽電池３と、前記小型風力発電装置２及び前記小型太陽電池３からの電気エネルギーを蓄えるバッテリーと、前記支柱の上部に設けられたＬＥＤ照明装置４とからなる防災用照明柱であって、前記支柱１の材質はアルミニウムであり、前記支柱１の表面にはアルマイト加工が施されている。【選択図】図２
2007194178.tif 000002
【特許請求の範囲】
【請求項１】
支柱と、前記支柱の最上部に設けられた小型風力発電装置及び小型太陽電池と、前記小型風力発電装置及び前記小型太陽電池からの電気エネルギーを蓄えるバッテリーと、前記支柱の上部に設けられたＬＥＤ照明装置とからなる防災用照明柱において、
前記支柱の材質はアルミニウムであり、前記支柱の表面にはアルマイト加工が施されていることを特徴とする防災用照明柱。
【請求項２】
前記支柱は、上下方向に分割可能であることを特徴とする請求項１記載の防災用照明柱。
【請求項３】
前記バッテリーと前記ＬＥＤ照明装置との間にスイッチを設けたことを特徴とする請求項１または２記載の防災用照明柱。
【請求項４】
前記ＬＥＤ照明装置は、円筒形の透明プラスチックで覆われていることを特徴とする請求項１乃至３記載の防災用照明柱。
【発明の詳細な説明】
【技術分野】
【０００１】  本発明は、災害等で停電した場合でも、確実に周囲を照らすことができる防災用照明柱に関する。
【背景技術】
【０００２】  阪神淡路大震災や新潟県中越地震など、過去１０年間で震度５弱以上の地震が各地で１００回以上発生しており、日本列島の何処で大地震が発生しても不思議ではない。にも関わらず、避難地及び避難地近隣に、災害時の停電に対応出来る照明灯が全国的にほとんど整備されていないのが現状である。阪神淡路大震災では２６０万戸が停電し、応急送電が完了するまでに約１週間（１５２時間）を要した。災害時の停電の夜は通常の夜とは違い、漆黒の闇となり心理的に大変不安になる。近年、全国的に防災に関心が集まっているが、大変重要であるはずの、停電に対応出来る照明灯についてはほとんど整備されておらず、非難誘導及び救助活動において独立電源の照明灯の整備が早急に求められている。【０００３】  本発明に関連する従来技術として以下のものが挙げられる。
・特開２００２−２５３１４号公報（従来例１）
・特開平６−１６２８１４号公報（従来例２）
上記従来例１には、太陽電池と風力発電装置とを備えた照明柱が記載されている。また、前記照明柱の柱部を上下方向に分割可能であることが記載されている。しかし、前記従来例１には、前記柱部の材質については記載されていない。また、防災用に用いることも記載されていない。
上記従来例２には、従来技術として、アルミニウムを利用した街路照明の支柱が記載されている（段落［０００４］）。しかし、その具体的構成は記載されていない。また、防災用に用いることも記載されていない。さらに、発電装置についても記載されていない。
【発明の開示】
【発明が解決しようとする課題】
【０００４】  本発明の目的は、軽量コンパクトで、設置も容易な防災用照明柱を提供することにある。また、防災時に利用するものなので、信頼性、経年劣化に対する耐久性に優れ、耐震性にもすぐれている必要がある。
【課題を解決するための手段】
【０００５】  上記課題を解決するため、本発明の請求項１の防災用照明柱は、支柱と、前記支柱の最上部に設けられた小型風力発電装置及び小型太陽電池と、前記小型風力発電装置及び前記小型太陽電池からの電気エネルギーを蓄えるバッテリーと、前記支柱の上部に設けられたＬＥＤ照明装置とからなる防災用照明柱において、前記支柱の材質はアルミニウムであり、前記支柱の表面にはアルマイト加工が施されていることを特徴としている。
また、本発明の請求項２の防災用照明柱は、前記支柱が、上下方向に分割可能であることを特徴としている。
また、本発明の請求項３の防災用照明柱は、前記バッテリーと前記ＬＥＤ照明装置との間にスイッチを設けたことを特徴としている。
また、本発明の請求項４の防災用照明柱は、前記ＬＥＤ照明装置が、円筒形の透明プラスチックで覆われていることを特徴としている。
【発明の効果】
【０００６】  本発明の照明柱は、風力発電と太陽電池との両方を用いたハイブリット発電方式なので、天候や風量に左右されにくく確実に充電ができ、いざというときに確実に照明をすることができるため、防災用としての信頼性が高い。通常の照明柱は周囲の明るさを確保するため十分な照明装置の発光量が必要だが、本発明の照明柱は用途を防災用に限定しているため、災害時に必要最低限の明かりを提供できれば良く、通常の照明柱に比べて照明装置の発光量は少なくて良い。一般にハイブリット発電方式の照明柱は複数の発電装置を有しているので支柱上部が重くなってしまうが、本発明の照明柱は、照明装置、風力発電装置、太陽電池、バッテリーを通常の照明柱に比べて小型で軽量のものにできる。なぜなら、通常の照明柱に比べて照明装置の発光量が少なくて良いので、発電量を少なくでき発電装置を小型化できるし、蓄電量も少なくて良いのでバッテリーも小型化できるからである。通常の照明柱は、より大きな照明装置、風力発電装置、太陽電池、バッテリーを支えるため、支柱は鉄又はコンクリートで作られているが、本発明の照明柱は防災用であるため、照明装置、風力発電装置、太陽電池、バッテリーは前述のように小型・軽量のもので良く、支柱の材質をアルミニウムにしても支えることができる。支柱の材質をアルミニウムにすることで、飛躍的に全体の軽量化を図ることができ、可搬性、設置性が大幅に向上する。【０００７】  上記従来例２の段落［０００４］には、
「一方、アルミの型材を使用した街路照明の支柱も従来から公知である。しかしながら、この公知の街路照明の支柱では、アルミの型材だけで支柱を構成しているため、大きな構造体を作ろうとすると、アルミ型材自身が構造的に非常に大きな断面積を持つ構造体となってしまう。一般に、大型のアルミ型材を製造することは困難であり、更にはアルミ型材は熔接するのに高度の技術を要するので、結局アルミ型材だけによって大きい断面積の支柱を得ることは困難かつ高コストとなってしまう。」
と記載されている。この記載のように、上記従来例２には照明柱の材質としてアルミニウムを用いることが示唆されているものの、実際には、通常の照明柱では支柱をアルミニウムで構成することは困難であると記載されている。本発明の照明柱は、用途を防災用に限定しているため、支柱に取付ける構造物が通常の照明柱に比べて小型・軽量で済み、コストや強度の問題もなく、支柱をアルミニウムで構成することができる。また、上記従来例２には、支柱上部に風力発電装置及び太陽電池を取付けるハイブリット発電方式については記載も示唆もされていない。【０００８】  さらに、本発明の照明柱は、アルミニウム支柱の表面をアルマイト（陽極酸化）加工することで、耐候性、耐震性を強化することができる。アルマイト（陽極酸化）加工は、電解槽を用いてアルミニウム表面に酸化アルミニウム（アルミナ）の層を形成する処理であり、その耐候性や強度は、通常のメッキや塗装になどに比べて格段に高い。アルマイト加工により、経年劣化に対する耐久性が高くなりメンテナンスフリーを実現でき、また、通常のアルミニウムに比べて表面強度が増すことで亀裂やキズが発生しにくくなり、全体の強度が増すので耐震性にも優れている。防災用なので、地震の際に倒れてしまっては意味が無く、耐震性は重要な要素である。支柱が軽量なアルミニウムであることも耐震性を向上させる。さらに、通常のメッキでは表面の色は限られたものにしかできないが、アルマイト加工では酸化アルミニウムの層にできる空洞に染料を入れることで、表面を任意の色に着色できる。設置場所に応じた色に着色することで、景観を損なうことなく設置できる。アルマイト加工は、アルミニウムに対してしか行えないが、本発明の防災用照明柱は、支柱がアルミニウムであるためアルマイト加工を行うことができる。アルマイト加工自体は公知であるが、通常はアルミニウム表面の保護や着色のために用いられ、本発明のように支柱全体の強度を増すために用いられることはない。【０００９】  また、本発明の防災用照明柱は独立電源を使用しており、外部から電灯線を引きこむ必要が無いので、通常の照明柱に比べても設置が容易である。照明装置にＬＥＤを用いることで、球切れが激減し、メンテナンスコストを低く抑えられる。さらに、支柱を分割可能にすることで、より可搬性を高めることができる。また、バッテリーとＬＥＤ照明装置との間にスイッチを設けることで、震災時等の必要なときだけ照明装置をＯＮすることができ、発電装置やバッテリーをさらに小型化できる。ＬＥＤ照明装置を円筒形の透明プラスチックで覆うことで、さらなる軽量化を図ることができるとともに、低コストで均質な照明光を実現できる。
【発明を実施するための最良の形態】
【００１０】  以下、図面を参照しながら本発明の実施の形態について説明する。
図１は本発明の防災用照明柱の正面図であり、図２は本発明の防災用照明柱の側面図である。支柱１の最上部には、小型風力発電装置２及び小型太陽電池３が配置されている。前記小型風力発電装置２及び小型太陽電池３で発電された電力は、制御ＢＯＸ５内にあるバッテリーに蓄えられる。バッテリーに蓄えられた電力によって、夜間になるとＬＥＤ照明装置４が点灯される。支柱１の高さは約３．５ｍであり、表面全体がアルマイト（陽極酸化）加工されたアルミニウムで構成されている。アルマイト（陽極酸化）加工時に任意の色を着色することができ、周囲の景観にあった色にすることができる。制御ＢＯＸ５には、必要に応じて点灯スイッチを設けることができる。ＬＥＤ照明装置４の周囲は、円筒形の透明プラスチックで覆われている。【００１１】  図３は、別の実施例の図である。基本的な構成は、図１及び２の防災用照明柱と同じであるが、支柱１の中間付近で分割可能になっている。分割部には、上部の発電装置や照明装置と、下部の制御ＢＯＸとをつなぐ配線のコネクタ６が設けられている。【００１２】  さらに図示していないが、ＬＥＤ照明装置４を首振り可能にして、照明方向を任意の方向にすることもできる。本発明のＬＥＤ照明装置は防災用であるため通常の照明柱の照明装置に比べて発光量が少ないので、前記ＬＥＤ照明装置の照明方向を任意の方向に向けることで、発光量の少なさをカバーして、災害時に効果的な照明を行うことができる。
【図面の簡単な説明】
【図１】  本発明の防災用照明柱の正面図である。
【図２】  本発明の防災用照明柱の側面図である。
【図３】  本発明の防災用照明柱の一実施例の斜視図である。
【符号の説明】
１  支柱
２  小型風力発電装置
３  小型太陽電池
４  ＬＥＤ照明装置
５  制御ＢＯＸ
６  コネクタ
【図１】
2007194178.tif 000003
【図２】
2007194178.tif 000004
【図３】
2007194178.tif 000005